(57)【要約】【課題】  タッチパネルに対するタッチ操作を片手で行う携帯情報端末において、筐体の前面及び背面にそれぞれタッチセンサが配置され、筐体を保持する手の接触をタッチ操作であると誤検出するのを抑制することを目的とする。【解決手段】  筐体１０の前面及び背面にそれぞれ配置され、タッチ操作を検出するタッチセンサ１１ｓ，１２と、タッチ操作の接触サイズを検出する接触サイズ検出部２２と、接触サイズを所定のサイズ閾値と比較するサイズ比較部２３と、サイズ比較部２３の比較結果に基づいて、タッチ操作を無効にするタッチ操作無効化部２６とを備え、接触サイズがサイズ閾値より大きい場合に、タッチ操作を無効にする。【選択図】  図２
2014123327.tif 000002
【特許請求の範囲】
【請求項１】
筐体の前面及び背面にそれぞれ配置され、タッチ操作を検出するタッチセンサと、
上記タッチ操作の接触サイズを検出する接触サイズ検出手段と、
上記接触サイズを所定のサイズ閾値と比較するサイズ比較手段と、
上記サイズ比較手段の比較結果に基づいて、上記タッチ操作を無効にするタッチ操作無効化手段とを備え、
上記接触サイズが上記サイズ閾値より大きい場合に、上記タッチ操作を無効にすることを特徴とする携帯情報端末。
【請求項２】
上記タッチ操作中における一定時間内の移動距離を検出する移動距離検出手段と、
上記移動距離を所定の距離閾値と比較する移動距離比較手段とを備え、
上記タッチ操作無効化手段は、上記サイズ比較手段及び上記移動距離比較手段の比較結果に基づいて、上記タッチ操作を無効にし、
上記接触サイズが上記サイズ閾値より大きく、かつ、上記移動距離が上記距離閾値より小さい場合に、上記タッチ操作を無効にすることを特徴とする請求項１に記載の携帯情報端末。
【請求項３】
上記接触サイズ検出手段は、上記タッチセンサのいずれか一方において２以上のタッチ操作が検出された場合に、上記２以上のタッチ操作の接触面積の合計を上記接触サイズとして検出することを特徴とする請求項１又は２に記載の携帯情報端末。
【請求項４】
上記タッチ操作無効化手段は、上記タッチセンサのうち、上記接触サイズが上記サイズ閾値より大きなタッチ操作が検出された上記タッチセンサに対する全てのタッチ操作を無効にすることを特徴とする請求項１に記載の携帯情報端末。
【請求項５】
筐体の前面に配置され、操作ボタンを表示する表示装置を備え、
第１及び第２のタッチセンサは、いずれも上記タッチ操作の操作位置に基づいて上記操作ボタンを選択可能であることを特徴とする請求項１〜４のいずれかに記載の携帯情報端末。
【発明の詳細な説明】
【技術分野】
【０００１】
本発明は、携帯情報端末に係り、更に詳しくは、筐体の前面及び背面にタッチセンサをそれぞれ備えた携帯情報端末の改良に関する。
【背景技術】
【０００２】
タッチパネルを備えた携帯情報端末が従来から知られている。特に、薄型筐体の前面にタッチパネルを備えた携帯電話機はスマートフォンと呼ばれ、広く普及している。この種の携帯情報端末は、片手で筐体を把持しながら、タッチ操作も行うことができる。このため、例えば、電車の吊革につかまっているような状況でも使用することできる。
【０００３】
片手で行われるタッチ操作には、通常、親指が用いられる。このため、画面上部のような親指から遠い領域へのタッチ操作は、筐体を持ち替えて行う必要があり、操作性が悪いという問題があった。特に、タッチパネルの大画面化に伴って親指の届かない領域が広がり、携帯情報端末の片手操作が困難になりつつある。そこで、筐体の背面にタッチセンサを設け、親指が届かない画面上部については、人差し指で背面側からタッチ操作ができるようにすれば、筐体を持ち替えることなく、筐体を把持している片手だけで画面全体を操作することができると考えられる。
【０００４】
筐体の前面にタッチパネルを配置し、背面にタッチセンサを配置した携帯情報端末が従来から知られている（例えば、特許文献１）。この携帯情報端末のタッチパネル及びタッチセンサは、同じ入力を受け付けることができるため、画面領域に応じて、親指によるタッチパネルへの操作と、人差し指によるタッチセンサへの操作とを使い分ければ、筐体を持ち替えることなく、筐体を把持している片手だけで画面全体を操作することができる。
【先行技術文献】
【特許文献】
【０００５】
【特許文献１】特開２００１−１４２４７４号公報
【発明の概要】
【発明が解決しようとする課題】
【０００６】
しかしながら、タッチパネル及びタッチセンサを対向配置した携帯情報端末を片手だけで操作しようとすれば、タッチ操作を行う指以外の指がタッチセンサに触れ、意図しない操作入力が行われてしまうという問題が生じる。
【０００７】
例えば、前面のタッチパネルを親指で操作しようとしているとき、筐体を把持している他の指が背面のタッチセンサに触れて、意図しない操作入力が行われることが考えられる。また、背面のタッチセンサを人差し指で操作しようとしているとき、前面のタッチパネルに親指が触れて、意図しない操作入力が行われることが考えられる。さらに、携帯情報端末を持っているだけで、意図しない操作入力が行われることが考えられる。
【０００８】
本発明は、上記の事情に鑑みてなされたものであり、タッチパネルに対するタッチ操作を片手のみで容易に行うことができる携帯情報端末において、タッチ操作の誤検出を抑制することを目的とする。特に、筐体の前面及び背面にそれぞれタッチセンサが配置された携帯情報端末において、タッチ操作の誤検出を抑制することを目的とする。
【課題を解決するための手段】
【０００９】
本発明による携帯情報端末は、筐体の前面及び背面にそれぞれ配置され、タッチ操作を検出するタッチセンサと、上記タッチセンサに対するタッチ操作を検出するタッチ操作検出手段と、上記タッチ操作の接触サイズを検出する接触サイズ検出手段と、上記接触サイズを所定のサイズ閾値と比較するサイズ比較手段と、上記サイズ比較手段の比較結果に基づいて、上記タッチ操作を無効にするタッチ操作無効化手段とを備え、上記接触サイズが上記サイズ閾値より大きい場合に、上記タッチ操作を無効にするように構成される。
【００１０】
このような構成により、タッチ操作の接触サイズを検出し、当該接触サイズがサイズ閾値より大きい場合には当該タッチ操作を無効にすることができる。通常のタッチ操作では指の先端がタッチセンサに触れるのに対し、筐体を把持するための手がタッチパネルに触れる場合には、指の内側や手のひらがタッチパネルに触れるため、接触サイズが、通常のタッチ操作時よりも大きくなる。従って、接触サイズに基づいて、タッチ操作を無効にすることにより、筐体を把持するための手がタッチパネルに触れた場合にタッチ操作が行われたと誤検出するのを抑制することができる。
【発明の効果】
【００１１】
本発明による携帯情報端末は、タッチ操作の接触サイズを検出してサイズ閾値と比較し、この比較結果に基づいて、タッチ操作を無効にするように構成され、接触サイズがサイズ閾値より大きい場合にタッチ操作を無効にする。このため、筐体を把持するためのタッチ操作を意図しない接触と、タッチ操作を意図した接触とを区別し、前者を無効にすることができる。
【００１２】
従って、筐体の前面及び背面にそれぞれタッチセンサが配置され、タッチパネルに対する片手でのタッチ操作を容易化した携帯情報端末において、タッチ操作の誤検出を抑制することができる。
【図面の簡単な説明】
【００１３】
【図１】本発明の実施の形態による携帯情報端末の一例を示した外観図であり、携帯情報端末の一例として携帯電話機１が示されている。
【図２】図１の携帯電話機１の要部について詳細構成の一例を示したブロック図である。
【図３】タッチパネル１１を親指で操作する場合の様子を示した説明図である。
【図４】タッチセンサ１２を人差し指で操作する場合の様子を示した説明図である。
【図５】筐体１０を保持している場合の様子を示した説明図である。
【図６】図１の携帯電話機１の動作の一例を示したフローチャートであり、タッチ操作処理の一例が示されている。
【発明を実施するための形態】
【００１４】
図１は、本発明の実施の形態による携帯情報端末の一例を示した外観図であり、携帯情報端末の一例として携帯電話機１が示されている。図中の（ａ）には、携帯電話機１の前面が示され、（ｂ）には、その背面が示されている。
【００１５】
携帯電話機１は、前面及び背面が略矩形からなる薄い板状の筐体１０を有している。筐体１０の前面には、タッチパネル１１、レシーバ１３、マイクロフォン１４及び操作キー１５が配置され、筐体１０の背面には、タッチセンサ１２が配置されている。レシーバ１３及びマイクロフォン１４は、通話用の入出力装置である。また、操作キー１５は、ユーザが操作入力を行うためのハードキー、例えば、メタルドームスイッチなどの接点式スイッチからなる。
【００１６】
タッチパネル１１は、表示パネル１１ｄ及びタッチセンサ１１ｓにより構成される。表示パネル１１ｄは、表示面上に画像を表示する表示手段であり、例えば、液晶表示パネルを用いることができる。表示面は、例えば、筐体１０の前面の大部分を占める縦長の矩形形状からなる。タッチセンサ１１ｓは、表示パネル１１ｄの表示面に対応する操作面を有し、当該操作面に対するユーザのタッチ操作を検出するタッチ操作検出手段であり、例えば、静電容量方式のタッチセンサを用いることができる。タッチセンサ１２は、タッチセンサ１１ｓと同様、表示パネル１１ｄの表示面に対応する操作面を有し、当該操作面に対するユーザのタッチ操作を検出するタッチ操作検出手段であり、例えば、静電容量方式のタッチセンサを用いることができる。
【００１７】
静電容量方式のタッチセンサは、操作面上に多数の電極が形成され、当該電極間の静電容量の変化を検出することにより、タッチ操作を検出する。このため、タッチ操作として検出される操作状態には、ユーザの指がタッチセンサ１１ｓ，１２に実際に接触している状態だけでなく、ユーザの指がタッチセンサ１１ｓ，１２からわずかに離れている状態も含まれる。
【００１８】
表示パネル１１ｄの表示面及びタッチセンサ１１ｓ，１２の操作面は、いずれも略同一の形状からなり、上下左右方向の２次元位置を互いに一致させている。このため、表示面へのタッチ操作は、筐体１０の前面及び背面のいずれからでも行うことができる。つまり、表示面に対する前面側からのタッチ操作は、タッチセンサ１１ｓによって検出され、背面側からのタッチ操作は、タッチセンサ１２により検出される。しかも、同一の操作入力が、前面側及び背面側のいずれからでも行うことができる。例えば、表示面上に１又は２以上の操作ボタンが表示されている場合に、任意の操作ボタンを選択するタッチ操作が、前面側及び背面側のいずれからでも行うことができる。
【００１９】
なお、タッチセンサ１２の操作面は、表示面のうち、親指が届きにくい領域のみに対応するように配置されるものであってもよい。つまり、タッチセンサ１２の操作面は、表示パネル１１ｄの表示面や、タッチセンサ１１ｓの操作面よりも小さく形成され、表示面の一部、例えば、表示面の上部のみに対応するように配置されるものであってもよい。
【００２０】
図２は、図１の携帯電話機１の内部構成の一例を示したブロック図である。この携帯電話機１は、タッチセンサ１１ｓ，１２、操作位置検出部２１、接触サイズ検出部２２、サイズ比較部２３、移動距離検出部２４、移動距離比較部２５、タッチ操作無効化部２６、タッチイベント処理部２７及び表示パネル１１ｄにより構成される。なお、タッチセンサ１１ｓ及び表示パネル１１ｄは、図１のタッチパネル１１を構成している。
【００２１】
タッチセンサ１１ｓ，１２は、操作面上に形成された多数の電極間の静電容量を監視し、当該静電容量の変化に基づいて、タッチ操作が行われたことを検出する。なお、誤検出を防止するため、タッチセンサ１１ｓ，１２によるタッチ操作の検出は、表示パネル１１ｄが画像表示を行っている表示期間中に行われ、表示パネル１１ｄが画像表示を行っていない非表示期間中はタッチ操作の検出を行わない。
【００２２】
操作位置検出部２１は、タッチセンサ１１ｓ，１２の検出結果に基づいて、タッチ操作の操作位置を検出する。例えば、タッチ操作の開始時及び終了時における操作位置をそれぞれ求め、タッチ操作無効化部２６へ出力する。操作位置は、タッチ操作が行われている操作面上の位置であり、例えば、静電容量の変化が最大となる位置を示す座標データが操作位置として求められる。
【００２３】
接触サイズ検出部２２は、タッチセンサ１１ｓ，１２の検出結果に基づいて、タッチ操作の接触サイズを検出し、サイズ比較部２３へ出力する。接触サイズは、ユーザの指が操作面に触れている接触領域の大きさであり、例えば、静電容量の変化量が所定の検出閾値を越えた領域が接触領域として検出され、その最大幅又は面積が接触サイズとして求められる。また、同一のタッチセンサ１１ｓ，１２において、２以上のタッチ操作が同時に検出された場合、タッチ操作ごとの接触領域の大きさが接触サイズとして求められる。
【００２４】
サイズ比較部２３は、接触サイズ検出部２２により検出された接触サイズを所定のサイズ閾値Ｔｈ１と比較する比較手段である。通常のタッチ操作であれば、指の先端がタッチセンサ１１ｓ，１２に触れるため、接触サイズは比較的小さい。これに対し、筐体１０を把持する手が、タッチ操作を意図することなく、タッチセンサ１１ｓ，１２に触れている場合、指の内側や手のひらがタッチセンサ１１ｓ，１２に触れるため、その接触サイズは、タッチ操作時よりも大きくなる。
【００２５】
従って、タッチ操作の接触サイズを、予め定められたサイズ閾値Ｔｈ１と比較すれば、その比較結果に基づいて、意図的なタッチ操作であるのか否かを判別することができる。つまり、接触サイズがサイズ閾値Ｔｈ１よりも大きければ、筐体１０を把持する手による接触であって、意図的なタッチ操作ではないと判断することができ、接触サイズがサイズ閾値Ｔｈ１以下であれば、意図的なタッチ操作であると判断することができる。
【００２６】
移動距離検出部２４は、タッチセンサ１１ｓ，１２の検出結果に基づいて、タッチ操作中における操作位置の移動距離を求め、移動距離比較部２５へ出力する。例えば、タッチ操作の開始から一定期間内における操作位置の移動距離が求められる。
【００２７】
移動距離比較部２５は、移動距離検出部２４により検出された移動距離を所定の距離閾値Ｔｈ２と比較する比較手段である。筐体１０を把持する手が、タッチ操作を意図することなくタッチセンサ１１ｓ，１２に触れている場合、その操作位置はほとんど移動しない。また、意図的に行っているタッチ操作であったとしても、そのタッチ操作が移動を伴わない操作である場合、例えば、ボタン操作である場合には、タッチ操作中に操作位置はほとんど移動しない。これに対し、意図的に行われたタッチ操作が動きを伴う操作である場合、例えばフリック操作である場合、当該タッチ操作中に操作位置が顕著に移動する。
【００２８】
このため、タッチ操作中における移動距離を、予め定められた距離閾値Ｔｈ２と比較すれば、その比較結果に基づいて、フリック操作のような動きを伴うタッチ動作であるのか否かを判別することができる。つまり、移動距離が距離閾値Ｔｈ２以上であれば、意図的なタッチ操作であって、筐体１０を把持する手による接触ではないと判断することができる。
【００２９】
タッチ操作無効化部２６は、サイズ比較部２３及び移動距離比較部２５の比較結果に基づいて、タッチ操作を無効化する。つまり、これらの比較結果に基づいて、タッチセンサ１１ｓ，１２により検出されたタッチ操作が、意図的なタッチ操作であるのか否かを判別し、意図的なタッチ操作であると判断すれば、その操作位置をタッチイベント処理部２７へ出力する。一方、意図的なタッチ操作でないと判断すれば、操作位置をタッチイベント処理部２７へ出力しない。
【００３０】
具体的には、タッチ操作の接触サイズがサイズ閾値Ｔｈ１よりも大きく、かつ、移動距離が距離閾値Ｔｈ２よりも小さい場合には、タッチ操作を無効化する一方、タッチ操作の接触サイズがサイズ閾値Ｔｈ１以下である場合、あるいは、一定期間内の移動距離が距離閾値Ｔｈ２以上である場合には、タッチ操作を無効化しない。なお、同一のタッチセンサ１１ｓ，１２において、２以上のタッチ操作が同時に検出された場合であれば、それぞれのタッチ操作について、意図的なタッチ操作であるのか否かを判別し、タッチ操作ごとに無効化するものとする。
【００３１】
タッチイベント処理部２７は、タッチ操作に対応するイベント処理を実行する。例えば、タッチ操作の開始時における操作位置に基づいて、表示面上の操作ボタンを選択し、タッチ操作の終了時における操作位置に基づいて、当該操作ボタンに対応付けられたイベント処理を実行する。また、タッチ操作がフリック操作であれば、表示面上の表示画像をスクロールさせる。このようなイベント処理の結果は、表示パネル１１ｄの表示画像に反映される。なお、タッチ操作無効化部２６により無効とされたタッチ操作についてタッチイベント処理が行われることはない。
【００３２】
図３は、タッチパネル１１を親指で操作する場合の様子を示した説明図であり、図中の（ａ）には、前方から見た様子が示され、（ｂ）には、上方から見た様子が示されている。
【００３３】
筐体１０は、親指以外の４本の指を伸ばした手の上に載せるように保持されている。このとき、背面のタッチセンサ１２には、４本の指の内側や手のひらが接触しており、その接触領域Ａ２は広く、また、これらの指で筐体１０を保持しているため、当該接触中に接触領域が移動することはほとんどない。これに対し、前面のタッチセンサ１１ｓには、親指の先端が接触しているため、その接触領域Ａ１は狭い。また、当該タッチ操作がフリック操作などであれば、タッチ操作中に操作位置が大きく移動する。
【００３４】
このため、背面のタッチセンサ１２により検出されたタッチ操作は、タッチ操作無効化部２６によって無効化され、前面のタッチセンサ１１ｓにより検出されたタッチ操作に対応するイベント処理のみが実行される。つまり、タッチ操作を意図せず、筐体１０を把持する手がタッチセンサ１２に接触した場合に、当該接触がタッチ操作であると誤検出されるのを防止することができる。
【００３５】
図４は、タッチセンサ１２を人差し指で操作する場合の様子を示した説明図であり、図中の（ａ）には、前方から見た様子が示され、（ｂ）には、上方から見た様子が示されている。筐体１０は、親指の根元部分と、中指及び薬指とにより、両端を挟み込むように保持されている。また、親指をタッチパネル１１に押し当てることにより、筐体１０をより安定的に保持することができる。
【００３６】
このとき、前面のタッチセンサ１１ｓには、親指の腹が接触しており、その接触領域Ａ１は、図３の接触領域Ａ１よりも広い。また、筐体１０を保持するために親指を接触させていることから、当該接触中に親指が移動することはほとんどない。これに対し、背面のタッチセンサ１２には、人差し指の先端が接触しているため、その接触領域Ａ２は、図３の接触領域Ａ２及び図４の接触領域Ａ１のいずれよりも狭い。また、当該タッチ操作がフリック操作等であれば、タッチ操作中に操作位置が大きく移動する。
【００３７】
このため、前面のタッチセンサ１１ｓにより検出されたタッチ操作は、タッチ操作無効化部２６によって無効化され、背面のタッチセンサ１２により検出されたタッチ操作に対応するイベント処理のみが実行される。つまり、タッチ操作を意図することなく、筐体１０を把持する手がタッチセンサ１１ｓに接触した場合に、当該接触がタッチ操作であると誤検出されるのを防止することができる。
【００３８】
図５は、携行時などの非操作時に筐体１０を片手で保持している場合の様子を示した説明図であり、図中の（ａ）には、前方から見た様子が示され、（ｂ）には、上方から見た様子が示されている。
【００３９】
筐体１０の前後から指で挟むことにより、筐体１０を保持している場合、親指は筐体１０の前面に押し当てられ、他の４本の指は筐体１０の背面に押し当てられた状態になる。このとき、タッチセンサ１１ｓ，１２により検出されたタッチ操作の接触領域Ａ１，Ａ２は、図３の接触領域Ａ１，図４の接触領域Ａ２のいずれよりも広く、ほとんど接触位置が移動しない。このため、タッチセンサ１１ｓ，１２により検出されたタッチ操作は、タッチ操作無効化部２６によって無効化され、タッチ操作によるイベント処理は実行されない。つまり、筐体の携行しているときに、筐体１０を把持する手がタッチセンサ１１ｓ，１２に接触しても、当該接触をタッチ操作と誤検出するのを防止することができる。
【００４０】
図６のステップＳ１０１〜Ｓ１０６は、図１の携帯電話機１の動作の一例を示したフローチャートであり、タッチ操作処理の一例が示されている。このタッチ操作処理は、タッチセンサ１１ｓ，１２が、タッチ操作を検出したときに開始される。また、２以上のタッチ操作が同時に検出された場合には、タッチ操作ごとに実行される。
【００４１】
このフローチャートでは明示しないが、タッチ操作の操作位置は、タッチ操作中は随時検出されているものとする。また、接触サイズは、タッチ操作の開始から一定期間経過後、例えば０．５秒経過後に求められるものとする。さらに、移動距離は、操作開始から一定期間内、例えば０．５秒以内の移動距離として求められるものとする。
【００４２】
まず、サイズ比較部２３が、タッチ操作の接触サイズをサイズ閾値Ｔｈ１と比較し（ステップＳ１０１）、この比較結果に基づいて、タッチイベント処理部２７がタッチイベント処理を実行する（ステップＳ１０２）。すなわち、タッチ操作の接触サイズがサイズ閾値Ｔｈ１以下である場合には、意図的なタッチ操作が検出されたと判断され、当該タッチ操作の操作位置が、タッチイベント処理部２７へ入力され、当該タッチ操作に対応するタッチイベント処理が実行される。このタッチイベント処理の実行は、当該タッチ操作が終了するまで、繰り返される（ステップＳ１０３）。その後、当該タッチ操作が終了すれば、当該タッチ操作処理を終了する。
【００４３】
ステップＳ１０１において、タッチ操作の接触サイズがサイズ閾値Ｔｈ１よりも大きい場合には、移動距離を距離閾値Ｔｈ２と比較し（ステップＳ１０４）、この比較結果に基づいてタッチイベント処理が実行される（ステップＳ１０２）。つまり、接触面積にかかわらず、タッチ操作の移動距離が距離閾値Ｔｈ２以上である場合には、意図的なタッチ操作が検出されたと判断され、当該タッチ操作の操作位置がタッチイベント処理部２７へ入力され、当該タッチ操作に対応するタッチイベント処理が実行される。
【００４４】
一方、ステップＳ１０４において、タッチ操作の移動距離が距離閾値Ｔｈ２よりも小さい場合には、タッチ操作が無効化される（ステップＳ１０５）。つまり、接触サイズがサイズ閾値Ｔｈ１よりも大きく、かつ、移動距離が距離閾値Ｔｈ２よりも小さい場合には、意図的なタッチ操作ではなく、筐体１０を把持する手による接触が検出されたと判断され、当該タッチ操作の操作位置は、タッチイベント処理部２７へ入力されず、タッチイベント処理は実行されない。このようなタッチ操作の無効化処理は、当該タッチ操作が終了するまで継続され、当該タッチ操作が終了すれば、当該タッチ操作処理を終了する（ステップＳ１０６）。
【００４５】
本発明の実施の形態による携帯電話機１は、筐体１０の前面及び背面にそれぞれ配置され、タッチ操作を検出するタッチセンサ１１ｓ，１２と、タッチ操作の接触サイズを検出する接触サイズ検出部２２と、接触サイズを所定のサイズ閾値Ｔｈ１と比較するサイズ比較部２３と、サイズ比較部２３の比較結果に基づいて、タッチ操作を無効にするタッチ操作無効化部２６とを備え、接触サイズがサイズ閾値Ｔｈ１より大きい場合に、タッチ操作を無効にする。
【００４６】
このような構成を採用することにより、タッチ操作の接触サイズを検出し、当該接触サイズがサイズ閾値Ｔｈ１より大きい場合には当該タッチ操作を無効にすることができる。通常のタッチ操作では指の先端がタッチセンサに触れるのに対し、筐体を把持するための手がタッチパネルに触れている場合、指の内側や手のひらがタッチパネルに触れるため、接触サイズが、通常のタッチ操作時よりも大きくなる。従って、接触サイズに基づいて、タッチ操作を無効にすることにより、筐体を把持するための手がタッチパネルに触れた場合にタッチ操作が行われたと誤検出するのを抑制することができる。
【００４７】
また、本実施の形態による携帯電話機１は、タッチ操作中における一定時間内の移動距離を検出する移動距離検出部２４と、移動距離を所定の距離閾値Ｔｈ２と比較する移動距離比較部２５とを備え、タッチ操作無効化部２６が、サイズ比較部２３及び移動距離比較部２５の比較結果に基づいて、タッチ操作を無効にするように構成され、接触サイズがサイズ閾値Ｔｈ１より大きく、かつ、移動距離が距離閾値Ｔｈ２より小さい場合に、タッチ操作を無効にする。
【００４８】
このような構成を採用することにより、タッチ操作の移動距離を検出し、当該移動距離が距離閾値Ｔｈ２より大きい場合には、接触サイズにかかわらず、当該タッチ操作を有効にすることができる。タッチ操作が、フリック操作等のような動きを伴う操作であれば移動距離が大きくなるため、接触サイズが大きなフリック操作が行われた場合に、当該タッチ操作が誤って無効されるのを防止することができる。つまり、筐体を把持するための手がタッチパネルに触れているのか、あるいは、意図的なタッチ操作であるのかを高い精度で判別し、前者のみを無効化することができる。
【００４９】
また、本実施の形態による携帯電話機１は、筐体の前面に配置され、操作ボタンを表示する表示パネル１１ｄを備え、タッチセンサ１１ｓ，１２は、いずれもタッチ操作の操作位置に基づいて操作ボタンを選択するこができる。この様な構成を採用することにより、表示パネル１１ｄの表示面上に表示された操作ボタンに対し、前面側及び裏面側のいずれからでもタッチ操作を行うことができる。
【００５０】
なお、本実施の形態では、接触サイズがサイズ閾値Ｔｈ１より大きく、かつ、移動距離が距離閾値Ｔｈ２より小さい場合に、タッチ操作無効化部２６が、タッチ操作を無効化する場合の例について説明したが、本発明は、この様な場合のみに限定されない。すなわち、移動距離にかかわらず、接触サイズに基づいてタッチ操作を無効化するように構成することでもできる。
【００５１】
また、本実施の形態では、同一のタッチセンサ１１ｓ，１２に対し、２以上のタッチ操作が同時に行われた場合に、タッチ操作ごとに接触サイズが検出され、検出された接触サイズごとにサイズ閾値Ｔｈ１と比較する場合の例について説明したが、本発明は、この様な場合のみに限定されない。例えば、同一のタッチセンサ１１ｓ，１２に対する２以上のタッチ操作の接触サイズの合計を検出し、接触サイズの合計値をサイズ閾値Ｔｈ１と比較し、上記タッチセンサ１１ｓ，１２に対するタッチ操作の全てを無効化するように構成することもできる。
【００５２】
また、本実施の形態では、２以上のタッチ操作が同時に行われた場合に、タッチ操作ごとに無効化される場合の例について説明したが、本発明は、この様な場合のみに限定されない。例えば、タッチセンサ１１ｓ，１２ごとにタッチ操作を無効化することもできる。すなわち、同一のタッチセンサ１１ｓ，１２に対し、２以上のタッチ操作が行われている場合に、いずれかのタッチ操作が無効化すべき条件を満たしていれば、上記２以上のタッチ操作の全てを無効化するように構成することもできる。
【００５３】
また、本実施の形態では、筐体１０の前面にタッチパネル１１を配置し、背面にタッチセンサ１２を配置し、前面及びは背面のいずれからでも同一の操作入力を行うことができる携帯電話機１の例に説明したが、本発明は、このような場合のみに限定されない。例えば、筐体１０の前面および背面にタッチパネルをそれぞれ配置し、互いに異なる操作入力を行うことができる携帯電話機１に対しても、本発明を適用することができる。
【００５４】
また、本実施の形態では、タッチセンサ１１ｓ，１２のいずいれに対するタッチ操作であっても無効化することができる場合の例について説明したが、本発明は、この様な場合のみに限定されない。例えば、背面側のタッチセンサ１２に対するタッチ操作のみを無効化することができる構成であってもよい。
【符号の説明】
【００５５】
１    携帯電話機
１０    筐体
１１    タッチパネル
１１ｓ  タッチセンサ
１１ｄ  表示パネル
１２    タッチセンサ
２１    操作位置検出部
２２    接触サイズ検出部
２３    サイズ比較部
２４    移動距離検出部
２５    移動距離比較部
２６    タッチ操作無効化部
２７    タッチイベント処理部
Ａ１，Ａ２  接触領域
Ｔｈ１  サイズ閾値
Ｔｈ２  距離閾値
【図１】
2014123327.tif 000003
【図２】
2014123327.tif 000004
【図３】
2014123327.tif 000005
【図４】
2014123327.tif 000006
【図５】
2014123327.tif 000007
【図６】
2014123327.tif 000008